(57)【特許請求の範囲】
【請求項１】
少なくとも折り畳み可能な本体筐体と、
前記本体筐体の外面に備えられた操作手段と、
前記本体筐体の外面に受信した非音声情報を表示する第１の表示手段と、
前記本体筐体の内面に第２の表示手段と、を有する折畳式携帯電話装置において、
前記本体筐体が閉じている状態から本体筐体が開かれた場合には、前記第１の表示手段に表示していた内容を本体筐体の内面の第２の表示手段に表示するとともに、前記第１の表示手段に表示していた内容を消して、予め定めていた内容の表示を行なうことを特徴とする折畳式携帯電話装置。
【請求項２】
少なくとも折り畳み可能な本体筐体と、
前記本体筐体の外面に備えられた操作手段と、
前記本体筐体の外面に受信した非音声情報を表示する第１の表示手段と、
前記本体筐体の内面に第２の表示手段と、を有する折畳式携帯電話装置において、
前記本体筐体が閉じられていて前記本体筐体の外面の第１の表示手段に受信した非音声情報を表示しているときに、本体筐体が開かれた場合には、前記第１の表示手段に表示していた内容を本体筐体の内面の第２の表示手段に表示するとともに、前記第１の表示手段に表示していた内容を消して、予め定めていた内容の表示を行なうように切り換える折畳式携帯電話装置。
【請求項３】
少なくとも折り畳み可能な本体筐体と、
前記本体筐体の外面に備えられた操作手段と、
前記本体筐体の外面に備えられた第１の表示手段と、
前記第１の表示手段の裏面であって、本体筐体の内面に備えられた非音声情報を表示可能な第２の表示手段と、を有する折畳式携帯電話装置において、
前記本体筐体が閉じている状態から本体筐体が開かれた場合には、前記第１の表示手段に表示していた内容を消して、予め定めていた内容の表示を行なうことを特徴とする折畳式携帯電話装置。
【請求項４】
少なくとも折り畳み可能な本体筐体と、
前記本体筐体の外面に備えられたスクロール用操作手段と、
前記本体筐体の外面に備えられた第１の表示手段と、
前記第１の表示手段の裏面であって、本体筐体の内面に備えられた非音声情報を表示可能な第２の表示手段と、を有する折畳式携帯電話装置において、
前記本体筐体が開かれたときに前記第２の表示手段に表示していた内容を、前記本体筐体が閉じられたときに、本体筐体の外面の第１の表示手段に表示するとともに、前記第１の表示手段に表示していた内容を消し、
また、前記第１の表示手段に表示していた内容を前記スクロール用操作手段で操作可能である折畳式携帯電話装置。
【請求項５】
前記操作手段は少なくとも非音声通信を開始あるいは終了させる請求項１または請求項２に記載の折畳式携帯電話装置。
【請求項６】
前記予め定めていた内容の表示は、周囲の人に提示する図形や文字であることを特徴とする請求項１から請求項３のうちいずれか一項に記載の折畳式携帯電話装置。
【請求項７】
前記予め定めていた内容の表示は、通話中である旨の表示である請求項６に記載の折畳式携帯電話装置。
【発明の詳細な説明】
【技術分野】
【０００１】
本発明は、文字や図形などの非音声情報を表示する機能を有する折畳式携帯電話装置に関する。
【背景技術】
【０００２】
最近、携帯電話装置においてもｉモードサービス（登録商標、以下、同じ）のように文字情報や図形情報のような非音声無線通信サービス（以下サービスという）が行われるようになってきている。このようなサービスを受信する携帯電話装置では、サービスの受信開始操作と、メニュー選択操作と、スクロール操作によって階層的に情報検索した文字情報をスクロールして読めるようにしている。そのためサービスを利用するには、無線通信手段と、サービス開始を指示する操作手段と、受信した情報を記憶する手段と、記憶した情報を表示する表示手段と、メニュー選択・決定手段と、スクロール手段と、全体を制御する制御手段があれば良い。
【０００３】
しかし、電子メールを発信したり、電話番号を入力するためのテンキー等の入力操作部を有する従来の携帯電話装置では、操作部の操作面には多数のキーボタンが密集して配置されているだけでなく、多数の文字を表示するために大画面の液晶表示装置を用いるため、携帯電話装置の筐体は大型化せざるを得ないという状況になっている。
【０００４】
そこで、使うときには開いて大きく使い、使わないときは二つに折畳んでコンパクトに持ち運ぶという例えば図１０のような折畳式携帯電話装置が出現したが、使うときには必ず大きく開いて使うものであり、閉じた状態では表示面と操作面を向き合わせて閉じている。そのため、閉じた状態では表示面も操作面も外部からは見ることも触れることもできず、二つに折畳んだコンパクトな状態のままで受信した文字情報等の非音声情報の内容を知ることも、階層的な検索操作をすることもできなかった。
【発明の開示】
【発明が解決しようとする課題】
【０００５】
本発明は、非音声無線通信サービスを利用するときに必要な表示手段と操作手段を折畳式携帯電話装置の本体筐体の外面に設けることにより、折り畳んだコンパクトな姿で受信した文字や図形などの非音声情報を見えるように表示したり、スクロールしたり、非音声情報を階層的に情報検索して表示させる操作をすることができる折畳式携帯電話装置を提供することを目的とする。
【課題を解決するための手段】
【０００６】
本発明の請求項１に記載の発明は、少なくとも折り畳み可能な本体筐体と、前記本体筐体の外面に備えられた操作手段と、前記本体筐体の外面に受信した非音声情報を表示する第１の表示手段と、前記本体筐体の内面に第２の表示手段と、を有する折畳式携帯電話装置において、前記本体筐体が閉じている状態から本体筐体が開かれた場合には、前記第１の表示手段に表示していた内容を本体筐体の内面の第２の表示手段に表示するとともに、前記第１の表示手段に表示していた内容を消して、予め定めていた内容の表示を行なうことを特徴とする折畳式携帯電話装置としたものである。この構成により、閉じていた本体筐体が開かれたときには外部に露出している第１の表示手段に予め定めた内容の表示をさせることができるという効果がある。
【０００７】
本発明の請求項２に記載の発明は、少なくとも折り畳み可能な本体筐体と、前記本体筐体の外面に備えられた操作手段と、前記本体筐体の外面に受信した非音声情報を表示する第１の表示手段と、前記本体筐体の内面に第２の表示手段と、を有する折畳式携帯電話装置において、前記本体筐体が閉じられていて前記本体筐体の外面の第１の表示手段に受信した非音声情報を表示しているときに、本体筐体が開かれた場合には、前記第１の表示手段に表示していた内容を本体筐体の内面の第２の表示手段に表示するとともに、前記第１の表示手段に表示していた内容を消して、予め定めていた内容の表示を行なうように切り換える折畳式携帯電話装置としたものである。この構成により、閉じていた本体筐体が開かれたときには外部に露出している第１の表示手段に予め定めた内容の表示をさせることができるという効果がある。
【０００８】
本発明の請求項３に記載の発明は、少なくとも折り畳み可能な本体筐体と、前記本体筐体の外面に備えられた操作手段と、前記本体筐体の外面に備えられた第１の表示手段と、前記第１の表示手段の裏面であって、本体筐体の内面に備えられた非音声情報を表示可能な第２の表示手段と、を有する折畳式携帯電話装置において、前記本体筐体が閉じている状態から本体筐体が開かれた場合には、前記第１の表示手段に表示していた内容を消して、予め定めていた内容の表示を行なうことを特徴とする折畳式携帯電話装置としたものである。この構成により、閉じていた本体筐体が開かれたときには外部に露出している第１の表示手段に予め定めた内容の表示をさせることができるという効果がある。
【０００９】
本発明の請求項４に記載の発明は、少なくとも折り畳み可能な本体筐体と、前記本体筐体の外面に備えられたスクロール用操作手段と、前記本体筐体の外面に備えられた第１の表示手段と、前記第１の表示手段の裏面であって、本体筐体の内面に備えられた非音声情報を表示可能な第２の表示手段と、を有する折畳式携帯電話装置において、前記本体筐体が開かれたときに前記第２の表示手段に表示していた内容を、前記本体筐体が閉じられたときに、本体筐体の外面の第１の表示手段に表示するとともに、前記第１の表示手段に表示していた内容を消し、また、前記第１の表示手段に表示していた内容を前記スクロール用操作手段で操作可能である折畳式携帯電話装置としたものである。この構成により、本体筐体が閉じられていたときには外部に露出している第１の表示手段に表示していた内容を本体筐体の外面に備えられたスクロール用操作手段にて操作することができるという効果がある。
【発明の効果】
【００１３】
以上説明した通り、本発明の請求項に記載の発明は、閉じていた本体筐体が開かれたときには外部に露出している第１の表示手段に予め定めた内容を、周囲の人に提示する図形や文字を用いて表示させることにより、電話していることをそれとなく周囲の人に知らせることができるという効果がある。また、本体筐体が閉じられていたときには外部に露出している第１の表示手段に表示していた内容を本体筐体の外面に備えられたスクロール用操作手段にて操作することができるという効果もある。
【発明を実施するための最良の形態】
【００２０】
以下、本発明の実施の形態について、図１から図９を用いて説明する。図１（ａ）は本発明の第１の実施の形態の折畳式携帯電話装置の本体筐体を閉じた状態を示す側面図、図１（ｂ）は本体筐体を閉じた状態を示す正面図、図２（ａ）は本体筐体を開いた状態を示す側面図、図２（ｂ）は本体筐体を開いた状態を示す正面図である。
【００２１】
図１と図２を用いて、全体の構成を簡単に説明する。図１（ａ）の折畳式携帯電話装置は、第１の本体筐体１と第２の本体筐体２をヒンジ部３で連結した形にして、第１の本体筐体１と第２の本体筐体２をヒンジ部３により折り畳み自在にしている。図１（ｂ）に示すように、第１の本体筐体１の外面には液晶表示装置などからなる第１の表示手段４を設けている。第１の表示手段４の近傍には非音声無線通信サービス開始ボタン５、スクロールボタン６ａ、６ｂ、選択決定ボタン７が設けられている。
【００２２】
また、第１の本体筐体の内面には第２の表示手段８が設けられており、第２の本体筐体２の側面には斜め上へ出し入れ自在にアンテナ９が設けられている。第１の本体筐体１には磁石18が内蔵され、第２の本体筐体２にはリードスイッチ19が内蔵されている。そして本体筐体が閉じて磁石18とリードスイツチ19が接近しているときはリードスイツチ19がＯＮになり、本体筐体が開いて磁石18とリードスイツチ19が離れたときはリードスイツチ19がＯＦＦになるようにして、本体筐体の開閉状態を検出するようにしている。
【００２３】
図２（ａ）に第１の本体筐体１を上方へ開いた状態を示す。第１の本体筐体１を上方へ開くと後述する制御手段により、第１の本体筐体１の内面にある第２の表示手段８に文字や画像情報を表示するようにしている。なお、このときには、第１の表示手段４については、閉じていたときに表示していた表示内容を消してその代わりに液晶のバックライトをゆるやかに点滅するようにしている。
【００２４】
図２（ｂ）に示す第２の本体筐体２の内面には、テンキー10や、４方向にスクロールし中央を押して選択・決定するいわゆるナビゲーションキー11や、通話開始キー12ａ、通話終了キー12ｂ、メニューキー13、ｉモードなどの非音声無線通信サービス受信開始キー14などのキー操作部が設けられている。
【００２５】
また、第２の本体筐体２の下方には送話器（マイク）15が有り、第１の本体筐体１の上方には受話器（スピーカ）16が設けられている。ここで音声通話には、テンキー10、ナビゲーションキー11、通話開始キー12ａ、通話終了キー12ｂ、メニューキー13、送話器（マイク）15そして受話器（スピーカ）16が用いられるが、非音声通信には、非音声無線通信サービス受信開始キー14と、ナビゲーションキー11が用いられる。
【００２６】
図３（ａ）、図３（ｂ）、図４（ａ）、図４（ｂ）はそれぞれ、本発明の第１の実施の形態の折畳式携帯電話装置のアンテナを伸ばした状態を示した側面図および正面図である。本発明は、アンテナ９を第２の本体筐体２の側面の下方から上方にアンテナを出し入れ自在に支持しているため、第１の本体筐体１の開閉動作はアンテナ９の向きまたは伸縮状態とは関係無く行なうことができる。なお、横溝17は手で握ったときの滑り止めの役目を持つものである。
【００２７】
図５（ａ）、図５（ｂ）は、本発明の第１の実施の形態の携帯電話装置を手で持った状態の外観図である。本発明の第１の実施の形態では、図５（ａ）のように第２の本体筐体２を手のひらで包むように持って、図３のようにアンテナを引出しても良いし、図５（ｂ）のように第２の本体筐体２を手のひらで包むように持って、図４のようにアンテナを引出すと同時に第１の本体筐体１を上方へ開いても良い。いずれにせよ、第１の本体筐体１の開閉状態に関係無くアンテナ９を図５（ａ）、図５（ｂ）のように第２の本体筐体２を手のひらで包むように持って、第２の本体筐体２の側面の下方から上方にアンテナ９を出し入れ自在にしている。
【００２８】
図６は、本発明の実施の形態の携帯電話装置の簡単な構成をブロック図で示したものである。図６において、アンテナ20で受信した電波は無線通信部21の受信部（図示せず）で受けて、受信情報を制御部22に伝える。制御部22は受信した電話番号などの受信情報を本体筐体の外面に設けた第１の表示手段４又は本体筐体の内面に設けた第２の表示手段８に表示する。電話番号以外に受信する受信情報としては、例えば一定時刻毎に自動配信される新聞情報サービスのような非音声無線通信サービスの文字情報がある。このような自動配信される新聞情報等を受信したときには、特別の操作をしなくても第１の本体筐体１の外面の第１の表示手段に自動的に「７時のニュース」とか「正午のニュース」という形で非音声情報サービスの受信情報を表示させたり、本体筐体が開いているときは第１の本体筐体１の内面の第２の表示手段８に表示することができる。
【００２９】
また、制御部22は設定によりバックライトにより前記表示手段４、８をそれぞれ照明するようにしている。また制御部22は受信情報を音声情報に変換して受話部（スピーカ）23で音声出力する。また送話部（マイク）24は利用者の音声を受けて制御部22に伝え、無線通信部21の送信部（図示せず）とアンテナ20により通話相手先に無線送信する。テンキーやスクロールキーからなるキー操作部26はキー操作によって制御部22に信号を入力したり、制御部22を介して電話番号情報等をメモリ25に記憶させるようにしている。
【００３０】
キー操作部26の中にある非音声無線通信サービス開始ボタン５（図１（ｂ）か14（図２（ｂ））が押されると、制御部22は無線通信部21の送信部（図示せず）とアンテナ20を用いて基地局に非音声無線通信サービスを要求する信号を送出する。基地局から非音声無線通信サービス情報が送信されてくると、アンテナ20、無線通信部21の受信部（図示せず）で受けて、制御部22はメモリ25に受信した非音声情報を記憶させる。カバー開閉状態検出部27はカバーの開閉状態を検出すると、検出情報を制御部22に伝えるので、制御部22は、上記検出結果に基づき前述のメモリ25に記憶した非音声情報を、本体筐体の開閉状態に対応した第１の表示手段４か、第２の表示手段８のいずれかに表示する。
【００３１】
図７は、非音声無線通信サービスの情報を受信したときに本体筐体の開閉状態の違いによってどちらの表示手段に表示するかを示したフローチャートである。折畳式携帯電話装置に電源がＯＮされ、受信待受け状態になっているときに（ステップ１）、非音声無線通信サービス開始ボタン５が押されると（ステップ２）、無線通信手段21から基地局に非音声無線通信サービス要求信号を送信し、基地局から文字や図形などの非音声情報を受信する（ステップ３）。すると制御部22は、カバー開閉状態検出部27から開閉状態検出情報を得て筐体が閉じているかを判断する（ステップ４）。
【００３２】
筐体が閉じていると、制御部22は受信した非音声情報を本体筐体の外面にある第１の表示手段４に表示する（ステップ５）。もし、スクロールボタン６ａ、６ｂが押されると表示内容をスクロール表示する（ステップ６）。ｉモードのようなサービスでは、必要により選択決定ボタン７でメニュー選択がされて階層的に情報が検索され表示される（ステップ７）。
【００３３】
なお、本体筐体が開いているときは非音声情報は本体筐体の内面にある第２の表示手段８に表示される（ステップ８）。そして本体筐体の内面のナビゲーションキー11（図２（ｂ））が操作されると（ステップ９）、スクロール表示し、必要により階層的に情報が検索され表示される（ステップ10）。
【００３４】
このように、本体筐体の開閉状態により、第１の表示手段４か第２の表示手段８かどちらかの表示手段に表示するようにしている。そして、本体筐体を閉じたままの状態で本体筐体の外面の第１の表示手段４に表示する内容は、本体筐体を開いて本体筐体の内面の第２の表示手段８に表示する内容と同一にしている。
【００３５】
なお、図８は、非音声無線通信サービスの情報の受信中に本体筐体の開閉状態の違いによってどちらの表示手段に表示するかを示したフローチャートである。図８のフローチャートに示すように、筐体が閉じていて第１の表示手段４に表示している状態において、筐体が開いたときは（ステップ11）、第１の表示手段４に表示していた内容を第２の表示手段８に表示させる（ステップ12）。そして直ぐに第１の表示手段４に表示していた内容を消し（ステップ13）、代わりに予め定めていた表示内容を表示する（ステップ14）。この予め表示する内容としては、例えば予め「電話中です。お騒がせして済みません。」という旨を周囲の人に提示する図形や文字をメモリ25に登録しておいて表示しても良いし、文字や図形表示をせず、液晶のバックライトをゆっくりと点滅させるようにして、電話していることをそれとなく周囲の人に知らせるようにしても良い。
【００３６】
また、筐体が開いていて第２の表示手段８に表示している状態において、筐体が閉じたときは（ステップ15）、第２の表示手段８に表示していた内容を第１の表示手段４に表示させる（ステップ16）。そして直ぐに第２の表示手段８の表示を完全に消してしまうようにしている（ステップ17）。
【００３７】
上記のように本発明によれば、従来の折畳式携帯電話装置では筐体を閉じた状態では見ることが出来なかったｉモード等の文字情報や図形情報を、筐体を閉じたコンパクトな状態で数少ない限られた操作キーを操って、簡単に見ることができ、スクロール表示も、階層的な検索による表示も可能にしている。言い替えれば、本体筐体を開けてみなければ受信した非音声情報を見ることも、それに基づいた操作もできなかったという従来の折畳式携帯電話装置の使い勝手の限界を取り除いた新しい折畳式携帯電話装置を提供することができるようにしている。
【００３８】
また、本発明によれば、非音声情報を本体筐体の開閉状態に対応した表示手段に表示するようにしている。一度、本体筐体の開閉状態に対応した表示手段に表示しているときに、本体筐体の開閉状態が変化したとしても新たな開閉状態に対応した表示手段に表示するように切り換えるようにしている。
【００３９】
図９は本発明の第２の実施の形態を示したもので、第２の実施の形態は第１の表示手段４と第２の表示手段８を設けている第１の本体筐体１の側面にアンテナ９を設けた点が第１の実施の形態と異なっている。図９（ａ）は本体筐体を閉じた状態を示す側面図、図９（ｂ）は本体筐体を閉じた状態の正面図、図９（ｃ）は本体筐体を開いた状態の正面図である。本発明の第１の実施の形態と同じ部分には同じ番号を付して示している。
【００４０】
図９の本発明の第２の実施の形態では、第１の本体筐体１の側面にアンテナ９を出し入れ自在にしているので、図１０に示した従来例とアンテナの出し入れの操作性はほぼ同じであるにもかかわらず、大型の第１の表示手段４を採用できるという利点がある。
【００４１】
説明が前後するが、本発明の第１の実施の形態では、図５に本体筐体を手で持った状態を示したように、アンテナ９を第１の表示手段４と第２の表示手段８のいずれも設けていない第２の本体筐体２の側面に設け、しかも本体筐体の下方から上方に向けて斜め方向に出し入れするようにしているため、第１の本体筐体の外面に図１０のようなアンテナの収納部が無く、第１の本体筐体１の外面に大きな表示手段を設けることができることに加えて、手のひらで包み込むように持つ第２の本体筐体２にアンテナ９を設けたことにより、第２の本体筐体２に設けられているアンテナ９の向きと伸縮状態に関係無く第１の本体筐体１を開閉できるようにしている。
【００４２】
また、アンテナを本体筐体の厚さ方向に突出させることなく薄くしたままで、かつアンテナの根元部付近のアンテナ収納部の本体筐体からの突出量を少なくして本体筐体を幅方向にも小さくして、握りやすくしている。
【図面の簡単な説明】
【００４３】
【図１】（ａ）本発明の第１の実施の形態の携帯電話装置の本体筐体を閉じた状態の側面図、（ｂ）本発明の第１の実施の形態の本体筐体を閉じた状態の正面図、
【図２】（ａ）本発明の第１の実施の形態の携帯電話装置の本体筐体を開いた状態の側面図、（ｂ）本発明の第１の実施の形態の本体筐体を開いた状態の正面図、
【図３】（ａ）本発明の第１の実施の形態の携帯電話装置の本体筐体を閉じた状態の側面図、（ｂ）本発明の第１の実施の形態の本体筐体を閉じた状態の正面図。
【図４】（ａ）本発明の第１の実施の形態の携帯電話装置の本体筐体を開いた状態の側面図、（ｂ）本発明の第１の実施の形態の本体筐体を開いた状態の正面図、
【図５】本発明の第１の実施の形態の携帯電話装置を手で持った状態の外観図、
【図６】本発明の第１の実施の形態の携帯電話装置のブロック図、
【図７】本発明の第１の実施の形態の非音声情報を表示する手順において、非音声無線通信サービスの情報を受信したときに本体筐体の開閉状態の違いによってどちらの表示手段に表示するかを示したフローチャート、
【図８】本発明の第１の実施の形態の非音声情報を表示する手順において、非音声無線通信サービスの情報の受信中に本体筐体の開閉状態の違いによってどちらの表示手段に表示するかを示したフローチャート、
【図９】（ａ）本発明の第２の実施の形態の携帯電話装置の閉じた状態の側面図、（ｂ）本発明の第２の実施の形態の閉じた状態の正面図、（ｃ）本発明の第２の実施の形態の開いた状態の正面図、
【図１０】（ａ）従来の携帯電話装置の折り畳んだ状態の側面図、（ｂ）従来の携帯電話装置の折り畳んだ状態の正面図、（ｃ）従来の携帯電話装置を開いた状態の正面図である。
【符号の説明】
【００４４】
１  第１の本体筐体
２  第２の本体筐体
３  ヒンジ部
４  第１の表示手段
５  非音声通信サービス開始ボタン
６  スクロールボタン
７  選択決定ボタン
８  第２の表示手段
９  アンテナ
21  無線通信部
22  制御部
23  受話部
24  送話部
25  メモリ
27  カバー開閉状態検出部
【図１】
0004689709.tif 000002
【図２】
0004689709.tif 000003
【図３】
0004689709.tif 000004
【図４】
0004689709.tif 000005
【図５】
0004689709.tif 000006
【図６】
0004689709.tif 000007
【図７】
0004689709.tif 000008
【図８】
0004689709.tif 000009
【図９】
0004689709.tif 000010
【図１０】
0004689709.tif 000011